(57)【特許請求の範囲】
【請求項１】
パネル本体に熱媒用配管を収納するための収納溝が全体に亘って形成された床暖房パネルであって、前記パネル本体の対向する二辺のうちの一辺を構成する前端面に第一配管導入口と第二配管導入口が形成され、
前記収納溝は、
前記第一配管導入口から後方に伸びる第一直線状溝部と、
前記第二配管導入口から後方に伸びる第二直線状溝部と、
前記パネル本体の前端部に形成されて前記第一直線状溝部と前記第二直線状溝部を接続する折り返し用溝部と、
前記パネル本体の前端部に形成され、前記第二直線状溝部の後端部から後側に伸びた後、前記第一直線状溝部と反対側において前側に折り返され、前記熱媒用配管の前記第一直線状溝部に収納された部分よりも下流側の部分が収納される折り返し溝部と、
前側に伸びた後、前記折り返し溝部の後方の位置で後側に折り返され、且つ、前記熱媒用配管の前記折り返し溝部に収納された部分よりも下流側の部分が収納される折り返し部とを有し、
前記第一直線状溝部及び前記第二直線状溝部の夫々に、前記熱媒用配管を他の熱媒用配管に接続するジョイントを収納するための溝幅を広げたジョイント収納部が形成されたことを特徴とする床暖房パネル。
【請求項２】
前記折り返し溝部において前記第二直線状溝部の後端部から後側に伸びる部分を、前記折り返し部よりも前記第一直線状溝部側に位置させたことを特徴とする請求項１に記載の床暖房パネル。
【請求項３】
前記収納溝は、前記パネル本体の前端部に形成されて、前記折り返し溝部において前側に折り返された部分から後側に伸びた後、前記第二直線状溝部と反対側において前側に折り返された第二折り返し溝部を有し、前記第二折り返し溝部において前記折り返し溝部の前側に折り返された部分から後側に伸びる部分を、前記折り返し溝部の前側に折り返された部分よりも前記第二直線状溝部側に位置させたことを特徴とする請求項１または請求項２に記載の床暖房パネル。
【請求項４】
前記折り返し用溝部が前記第一直線状溝部側から前記第二直線状溝部の途中を横切った後、前記第二直線状溝部の後端部に接続されたことを特徴とする請求項１乃至３のいずれか１項に記載の床暖房パネル。
【発明の詳細な説明】
【技術分野】
【０００１】
本発明は、パネル本体に熱媒用配管を収納するための収納溝が形成された床暖房パネルに関する。
【背景技術】
【０００２】
特許文献１には、パネルの上面に熱媒循環パイプを収納するための凹溝を形成した床暖房用溝付パネルが開示されている。
【先行技術文献】
【特許文献】
【０００３】
【特許文献１】特開平６−１８０１２５号公報
【発明の概要】
【発明が解決しようとする課題】
【０００４】
ところで、床暖房パネルによって暖房される面積を大きくするには、床暖房パネルの熱媒用配管を隣接する床暖房パネルの熱媒用配管とジョイントを介して接続する方法が考えられる。
【０００５】
ここで、熱媒用配管を隣接する床暖房パネルの熱媒用配管に接続するには、一枚の床暖房パネルを単独で用いる場合と異なり、熱媒用配管を収納するための収納溝をパネル本体の端面に至るまで形成する必要がある。また、この収納溝には前記ジョイントを収納する部分を形成する必要がある。このため、床暖房面積が狭い場合と広い場合の両方に対応するには単独で用いる床暖房パネルと、熱媒用配管を他の床暖房パネルの熱媒用配管に接続可能な床暖房パネルを製造する必要があり、床暖房パネルの種類が増し、製造コストが増加することが懸念される。
【０００６】
本発明は上記事情に鑑みてなされたものであって、パネルの種類を減らし、コストを抑えることができる床暖房パネルを提供することを課題とする。
【課題を解決するための手段】
【０００７】
上記課題を解決するために本発明の床暖房パネルは、パネル本体に熱媒用配管を収納するための収納溝が全体に亘って形成された床暖房パネルであって、前記パネル本体の対向する二辺のうちの一辺を構成する前端面に第一配管導入口と第二配管導入口が形成され、前記収納溝は、前記第一配管導入口から後方に伸びる第一直線状溝部と、前記第二配管導入口から後方に伸びる第二直線状溝部と、前記パネル本体の前端部に形成されて前記第一直線状溝部と前記第二直線状溝部を接続する折り返し用溝部と、前記パネル本体の前端部に形成され、前記第二直線状溝部の後端部から後側に伸びた後、前記第一直線状溝部と反対側において前側に折り返され、前記熱媒用配管の前記第一直線状溝部に収納された部分よりも下流側の部分が収納される折り返し溝部と、前側に伸びた後、前記折り返し溝部の後方の位置で後側に折り返され、且つ、前記熱媒用配管の前記折り返し溝部に収納された部分よりも下流側の部分が収納される折り返し部とを有し、前記第一直線状溝部及び前記第二直線状溝部の夫々に、前記熱媒用配管を他の熱媒用配管に接続するジョイントを収納するための溝幅を広げたジョイント収納部が形成されたことを特徴とする。
【０００９】
また、前記折り返し溝部において前記第二直線状溝部の後端部から後側に伸びる部分を、前記折り返し部よりも前記第一直線状溝部側に位置させることが好ましい。
【００１０】
また、前記収納溝は、前記パネル本体の前端部に形成されて、前記折り返し溝部において前側に折り返された部分から後側に伸びた後、前記第二直線状溝部と反対側において前側に折り返された第二折り返し溝部を有し、前記第二折り返し溝部において前記折り返し溝部の前側に折り返された部分から後側に伸びる部分を、前記折り返し溝部の前側に折り返された部分よりも前記第二直線状溝部側に位置させることが好ましい。
【００１１】
また、前記折り返し用溝部が前記第一直線状溝部側から前記第二直線状溝部の途中を横切った後、前記第二直線状溝部の後端部に接続されることが好ましい。
【発明の効果】
【００１２】
本発明にあっては、床暖房パネルの種類を減らし、コストを抑えることができる。
【図面の簡単な説明】
【００１３】
【図１】本実施形態の均熱シート、熱媒用配管、及び保持部材の図示を省略した第一床暖房パネルの平面図である。
【図２】均熱シート、熱媒用配管、及び保持部材の図示を省略した第二床暖房パネルの平面図である。
【図３】均熱シート、熱媒用配管、及び保持部材の図示を省略した第三床暖房パネルの平面図である。
【図４】（ａ）は図１のＡ−Ａ断面図であり、（ｂ）は図１のＢ−Ｂ断面図である。
【図５】熱媒用配管を折り曲げ用溝部を用いて折り返した状態を示し、均熱シート、熱媒用配管、及び保持部材の図示を省略した平面図である。
【図６】床暖房パネルを前後方向に並べて設けた状態を示し、均熱シート、熱媒用配管、及び保持部材の図示を省略した平面図である。
【図７】熱媒用配管をジョイントを介して他の熱媒用配管に接続した状態を示し、均熱シート、熱媒用配管、及び保持部材の図示を省略した平面図である。
【図８】比較例の熱媒用配管のパターンを示す説明図である。
【発明を実施するための形態】
【００１４】
以下、本発明を添付図面に基づいて説明する。本実施形態の床暖房パネル１は、床下地又は既設の床の上に一枚又は複数枚並べて設けられ、前記床暖房パネル１に熱媒を循環させる図示しない熱源機とで床暖房装置を構成するものである。前記一枚又は複数枚並べて設けられた床暖房パネル１上には、図示しない床板材が多数並べて設けられ、これにより床暖房機能を備えた床が形成される。
【００１５】
床暖房パネル１としては、例えば図１に示す第一床暖房パネル３、図２に示す第二床暖房パネル４、図３に示す第三床暖房パネル５等の複数種類の床暖房パネル１があり、床暖房装置には、床暖房部分の大きさや形状を考慮して選択された任意の床暖房パネル１が任意の枚数用いられる。
【００１６】
第一床暖房パネル３、第二床暖房パネル４、及び第三床暖房パネル５は基本的な構成が同じである。このため、以下では、共通する構成については、第一床暖房パネル３、第二床暖房パネル４、及び第三床暖房パネル５の夫々を床暖房パネル１と記載して説明する。
【００１７】
各床暖房パネル１は、図１乃至図３に示すように、パネル本体６と、パネル本体６に埋め込まれた状態で設けられる小根太７と、同じくパネル本体６に埋め込まれた状態で設けられる熱媒用配管８（図４参照）を備えている。
【００１８】
パネル本体６の断面図を図４に示す。パネル本体６は、略矩形板状の基材９と、基材９の上面に貼り付けられた均熱シート１７で構成されている。なお、図１乃至図３では、均熱シート１７の図示を省略している。以下、基材９の長手方向となる図１乃至図３における紙面前後方向を前後方向と定義して説明する。
【００１９】
基材９は断熱性を有する発泡合成樹脂で形成されている。図２に示す第二床暖房パネル４の基材９は、図１に示す第一床暖房パネル３の基材９と同じ幅で且つ同じ長さとなるように形成されている。対して、図３に示す第三床暖房パネル５の基材９は、第一床暖房パネル３の基材９と同じ長さではあるが、第一床暖房パネル３の基材９よりも幅が狭くなるように形成されている。
【００２０】
図１及び図３に示すように、第一床暖房パネル３及び第三床暖房パネル５の夫々の基材９の角部２１には、図示しないヘッダーを配置するための切欠１５が形成されている。このヘッダーは、温水である熱媒を熱源機から熱媒用配管８に供給すると共に熱媒用配管８の熱媒を熱源機に戻すものであり、熱媒用配管８の流入口及び流出口に接続される。なお、図２に示す第二床暖房パネル４に設けられる熱媒用配管８は、隣接する他の床暖房パネル１に設けられた熱媒用配管８と接続されることで、熱媒が循環される。
【００２１】
図４に示す均熱シート１７は熱伝導性に優れたアルミ製であって、パネル本体６の上面の全体に亘って設けられ、熱媒用配管８の熱を前記床板材に均等に伝える均熱層として機能する。
【００２２】
図１乃至図３に示すように、各床暖房パネル１のパネル本体６には、小根太７を収納するための下方に開口する小根太用溝１０が複数形成されている。各小根太用溝１０は基材９を上下方向に貫通し、その底部は均熱シート１７で構成されている。なお、各小根太７は対応する小根太用溝１０に嵌め込まれ、パネル本体６に接着等されて固定される。
【００２３】
本実施形態では、略矩形状のパネル本体６の対向する二辺をなす前後両端面の間に、前後方向と平行な二本の小根太７が前後に並べて且つ前後に間隔を空けて設けられ、これら小根太７に対応する箇所に小根太用溝１０が形成されている。
【００２４】
以下、特に区別する場合には、パネル本体６に設けられた小根太７のうち、前側に配置された小根太７を第一小根太１１と記載し、後側に配置された小根太７を第二小根太１２と記載する。
【００２５】
図１に示す第一床暖房パネル３及び図２に示す第二床暖房パネル４には、第一小根太１１とこの後側に配置される第二小根太１２の組が左右に２組設けられている。また、図３に示す第三床暖房パネル５には、前記第一小根太１１と第二小根太１２の組が幅方向の中心に１組だけ設けられている。図１乃至図３に示す各床暖房パネル１において、第一小根太１１の長さは第二小根太１２の長さよりも長くなっている。
【００２６】
各床暖房パネル１の基材９の上面には、可撓性を有するパイプからなる熱媒用配管８（図４参照）を収納するための上方に開口する収納溝１６が形成されている。図４（ａ）に示すように、収納溝１６にはアルミ箔等で構成される保持部材１９が設けられている。保持部材１９は収納溝１６内に位置して上方に開口する溝部２０を有し、この溝部２０に熱媒用配管８が収納されて保持される。なお、図１乃至図３では、保持部材１９の図示を省略している。また、本実施形態では保持部材１９で熱媒用配管８を保持したが、保持部材１９を省略して収納溝１６で熱媒用配管８を保持しても構わない。
【００２７】
図１乃至図３に示すように、収納溝１６はパネル本体６の全体に行き渡るように小根太７が設けられた箇所を避けながら適当な箇所で屈曲・蛇行しており、熱媒用配管８は、この収納溝１６の略全長に亘って設けられる。そして、各床暖房パネル１の熱媒用配管８は温水である熱媒が循環することで加熱され、この熱が均熱シート１７を介して床板材に伝わることで床暖房がなされる。
【００２８】
収納溝１６は、図１乃至図３に示すように、始点となるパネル本体６後側の一方の角部２１からパネル本体６後側の他方の角部２２にまで伸びる。この部分の収納溝１６は、パネル本体６の後端部において前後方向に蛇行して前後方向における第二小根太１２に対応する部分を通りつつ、基材９の後端面とこの前方に位置する第二小根太１２の後端面との間を通過する。続いて収納溝１６は、角部２２からパネル本体６の前記始点と反対側の側端面に沿って前方に直線状に進み、パネル本体６前側の始点と反対側の角部２３に至る。続いて収納溝１６は、角部２３からパネル本体６前側の始点側の角部２４にまで伸びる。この部分の収納溝１６は、パネル本体６の前端部において前後方向に蛇行する。また、第一小根太１１がある部分では第一小根太１１に沿って前後方向に直線状に伸び、第一小根太１１とこの後側に位置する第二小根太１２の間を通る。続いて収納溝１６は、角部２４からパネル本体６の前記始点側の側端面に沿って後方に直線状に伸び、角部２１に至る。続いて収納溝１６は角部２１から角部２２にまで伸びる。この部分の収納溝１６は、パネル本体６の前端部と後端部の間の部分を前後方向に大きく蛇行しつつ、第一小根太１１とこの後側に位置する第二小根太１２の間を通る。また、前記蛇行部分は、前記パネル本体６の側端面に沿って前後方向と平行な直線状に伸びる部分と、前記第一小根太１１に沿って前後方向と平行な直線状に伸びる部分との間を通り、大部分が前後方向と平行な直線状の溝部となる。続いて、収納溝１６は、角部２２から角部２１にまで伸びて終点に至る。この部分の収納溝１６は、パネル本体６の後端部において前後方向に蛇行して前後方向における第二小根太１２に対応する部分を通過しつつ、基材９の後端面とこの前方に位置する第二小根太１２の後端面との間を通る。
【００２９】
前記収納溝１６には始点から終点に至るまで熱媒用配管８が収納され、この熱媒用配管８内では始点から終点に向かう方向に熱媒が流れる。このように収納された熱媒用配管８は、往路側において始点に近い部分程復路側において終点に近い部分が隣り合って配置され、これにより床暖房パネル１は全体に亘って均一に加熱される。
【００３０】
各床暖房パネル１の前端面には、他の床暖房パネル１の熱媒用配管８を出し入れするための第一配管導入口２５及び第二配管導入口２６が形成されている。本実施形態では、左右に並べて設けられた第一配管導入口２５と第二配管導入口２６の組が、第二小根太１２によって左右に区切られた領域３１毎に形成されており、第一配管導入口２５及び第二配管導入口２６は各領域３１の側端部に対応する箇所に形成されている。
【００３１】
各床暖房パネル１の収納溝１６は、各組の第一配管導入口２５から後方に伸びる第一直線状溝部２７と、各組の第二配管導入口２６から後方に伸びる第二直線状溝部２８を有している。各第一直線状溝部２７及び各第二直線状溝部２８はパネル本体６の前端部に形成されている。各第一直線状溝部２７の途中には溝幅を広げたジョイント収納部３３が形成され、各第二直線状溝部２８の途中には溝幅を広げたジョイント収納部３４が形成されている。以下、特に区別する場合には、第一直線状溝部２７に設けたジョイント収納部３３を第一ジョイント収納部３３と記載し、第二直線状溝部２８に設けたジョイント収納部３４を第二ジョイント収納部３４と記載する。
【００３２】
各ジョイント収納部３４には、当該床暖房パネル１の熱媒用配管８を前方に隣接する床暖房パネル１の熱媒用配管８に接続するための接続具であるジョイント３５、３６を収納することができる。以下、特に区別する場合には、第一ジョイント収納部３３に収納されるジョイント３５を第一ジョイント３５と記載し、第二ジョイント収納部３４に収納されるジョイント３６を第二ジョイント３６と記載する。
【００３３】
各第一直線状溝部２７は後方に大きく延び出て直線状の第一延出部分３０を構成している。各第一延出部分３０は収納溝１６の前記パネル本体６の側端面又は第一小根太１１に沿って直線状に伸びる部分を構成する。
【００３４】
各床暖房パネル１の収納溝１６は、パネル本体６の前端部に形成されて、各組の第一直線状溝部２７と第二直線状溝部２８を接続する折り返し用溝部２９を有している。各折り返し用溝部２９は、第一直線状溝部２７側から第二直線状溝部２８における第二ジョイント収納部３４よりも前方の部分を横切った後、第二直線状溝部２８の後端部に接続されている。各折り返し用溝部２９は平面視で略前側に凸となる弧状に形成されており、折曲点が無い。このため、図５に示すように第一延出部分３０から折り返し用溝部２９に至る熱媒用配管８を曲線状に曲げて後側に折り返すことができる。
【００３５】
また、各床暖房パネル１の収納溝１６は、パネル本体６の前端部に形成されて、各第二直線状溝部２８の後端部から後側に伸びた後、第一直線状溝部２７と反対側において前側に折り返された折り返し溝部３２（以下、第一折り返し溝部３２という）を有している。各第一折り返し溝部３２には折曲点がなく、図５に示すように熱媒用配管８を曲線状に曲げて前側に折り返すことができる。
【００３６】
また、各床暖房パネル１の収納溝１６は、パネル本体６の前端部に形成されて、各第一折り返し溝部３２において前側に折り返された部分から後側に伸びた後、第二直線状溝部２８と反対側において前側に折り返された第二折り返し溝部３７を有している。各第二折り返し溝部３７には折曲点がなく、図５に示すように熱媒用配管８を曲線状に曲げて後側に折り返すことができる。
【００３７】
各第二折り返し溝部３７の後側に折り返された部分は後方に大きく延び出て直線状の第二延出部分３８を構成している。各第二延出部分３８は、収納溝１６の前記第一小根太１１に沿って直線状に伸びる部分を構成する。
【００３８】
また、各床暖房パネル１の収納溝１６は、前方に直線状に伸びた後、第一折り返し溝部３２の直ぐ後方の位置で後側に折り返され、この後、後方に直線状に伸びる折り返し部３９を有している。この折り返し部３９は前記第二小根太１２によって左右に区切られた領域３１毎に形成されている。各折り返し部３９は平面視で略前側に凸となる半円弧状の曲線部を有し、この曲線部を利用して収納した熱媒用配管８を後側に折り返すことができる。
【００３９】
各第一折り返し溝部３２の第二直線状溝部２８の後端部から後側に伸びる部分は、第一直線状溝部２７側に凸となる弧状に形成されており、対応する折り返し部３９よりも第一直線状溝部２７側に位置している。また、各第一折り返し溝部３２の前側に折り返された部分は、第一直線状溝部２７と反対側に凸となる弧状に形成されており、対応する折り返し部３９よりも第一直線状溝部２７から離れた位置に形成されている。さらに各第一折り返し溝部３２の後端部における左右方向中央部は、対応する折り返し部３９の前端部の左右方向中央部に対向しており、この部分は第一折り返し溝部３２の後端部両側よりも前側に突出している。
【００４０】
図６には床暖房パネル１の前方に他の床暖房パネル１を隣接して配置した状態が示されている。また、図７には、床暖房パネル１に設けられた熱媒用配管８（以下、当該熱媒用配管８と記載）を前記他の床暖房パネル１の熱媒用配管８（以下、他の熱媒用配管８と記載）に接続した例が示されている。
【００４１】
図７では、第一延出部分３０に通された往路側の当該熱媒用配管８の下流側端部が第一直線状溝部２７に後方から導入され、第一ジョイント収納部３３に収納された第一ジョイント３５の後端部に接続されている。一方、他の熱媒用配管８の上流側端部は第一配管導入口２５から第一直線状溝部２７に導入され、第一ジョイント３５の前端部に接続されている。また、第一折り返し溝部３２から第二直線状溝部２８に導入された復路側の当該熱媒用配管８の上流側端部は、第二ジョイント収納部３４に収納された第二ジョイント３６の後端部に接続されている。他方、他の熱媒用配管８の下流側端部は第二配管導入口２６から第二直線状溝部２８に導入され、第二ジョイント３６の前端部に接続されている。
【００４２】
図５には、床暖房パネル１に設けられた熱媒用配管８を他の熱媒用配管８に接続せず、折り返し用溝部２９を利用して、一本の熱媒用配管８をパネル本体６の全体に亘って設けた例が示されている。この図５では、第一延出部分３０に通された熱媒用配管８が第一直線状溝部２７に後方から導入され、続いて折り返し用溝部２９に導入されている。続いて、熱媒用配管８は、第二直線状溝部２８の後端部に接続された折り返し用溝部２９の端部まで通された後、第一折り返し溝部３２及び第二折り返し溝部３７に順に通され、この後、第二延出部分３８に導入されている。
【００４３】
以上説明した床暖房パネル１は、パネル本体６の前端面に形成された第一配管導入口２５から後方に伸びる第一直線状溝部２７と、パネル本体６の前端面に形成された第二配管導入口２６から後方に伸びる第二直線状溝部２８を有している。また、第一直線状溝部２７及び第二直線状溝部２８の夫々には、熱媒用配管８を他の熱媒用配管８に接続するためのジョイント３５、３６を収納するジョイント収納部３３、３４が形成されている。このため、前述したように、床暖房パネル１に設けられた熱媒用配管８を、ジョイント収納部３３、３４に収納されたジョイント３５、３６を利用して、前方に隣接する床暖房パネル１の熱媒用配管８に接続することができる。また、収納溝１６は、パネル本体６の前端部に形成されて第一直線状溝部２７と第二直線状溝部２８を接続する折り返し用溝部２９を有している。このため、前述したように折り返し用溝部２９を利用して、一本の熱媒用配管８をパネル本体６の全体に亘って設けることができる。つまり、本実施形態の床暖房パネル１は、熱媒用配管８を隣接する床暖房パネル１の熱媒用配管８に接続することができると共に、一本の熱媒用配管８をパネル本体６の全体に亘って設けることができ、このため床暖房パネル１の種類を減らし、コストを抑えることができる。
【００４４】
また、収納溝１６は、パネル本体６の前端部に形成されて、第二直線状溝部２８の後端部から後側に伸びた後、第一直線状溝部２７と反対側において前側に折り返された第一折り返し溝部３２を有している。さらに収納溝１６は、前側に伸びた後、第一折り返し溝部３２の後方の位置で後側に折り返された折り返し部３９を有している。このようにすることで、パネル本体６の前端部を、熱媒用配管８の第一折り返し溝部３２に収納される部分と折り返し部３９に収納される部分とで十分に加熱することができる。また、熱媒用配管８と他の熱媒用配管８をジョイント３５、３６で接続した場合、このジョイント３５、３６によって接続される部分は高温に加熱され難くなる。しかし、本実施形態では、第一折り返し溝部３２と折り返し部３９を設けたことにより、ジョイント収納部３３、３４の近傍を十分に加熱することができる。
【００４５】
また、パネル本体６の前端部において、図８に示す比較例のように熱媒用配管８を配置した場合、図中の二点鎖線で囲まれた領域４５、４６が加熱され難くなる。なお、図８において符号３２′で示す部分は第一折り返し溝部３２に対応する部分であり、符号３９′で示す部分は折り返し部３９に対応する部分である。
【００４６】
ここで、本実施形態では、図５に示すように第一折り返し溝部３２において第二直線状溝部２８の後端部から後側に伸びる部分を折り返し部３９よりも第一直線状溝部２７側に位置させている。このため、図８における領域４５を、第一折り返し溝部３２の後端部から後側に伸びる部分に収納された熱媒用配管８により十分に加熱することができる。
【００４７】
また、本実施形態では、第一折り返し溝部３２の前側に折り返した部分が、折り返し部３９よりも第一直線状溝部２７から離れた位置に形成されている。このため、図８における領域４６を十分に加熱することができる。
【００４８】
また、収納溝１６は、パネル本体６の前端部に形成されて、第一折り返し溝部３２において前側に折り返された部分から後側に伸びた後、第二直線状溝部２８と反対側において前側に折り返された第二折り返し溝部３７を有している。さらに第二折り返し溝部３７において第一折り返し溝部３２の前側に折り返された部分から後側に伸びる部分を、第一折り返し溝部３２の前側に折り返された部分よりも第二直線状溝部２８側に位置させている。このようにすることで、第二折り返し溝部３７を第二直線状溝部２８側に近づけ、これに収納された熱媒用配管８でジョイント収納部３３、３４の近傍を十分に加熱することができる。また、第一折り返し溝部３２の曲げ部分の曲率半径を大きくして、第一折り返し溝部３２において熱媒用配管８を簡単に曲げることができる。
【００４９】
また、折り返し用溝部２９は、図５に示すように、第一直線状溝部２７側から第二直線状溝部２８の途中を横切った後、第二直線状溝部２８の後端部に接続されている。このようにすることで、第一直線状溝部２７と第二直線状溝部２８の間隔を狭め、これら第一直線状溝部２７及び第二直線状溝部２８に収納される熱媒用配管８でジョイント収納部３３、３４の近傍を十分に加熱することができる。また、折り返し用溝部２９の曲げ部分の曲率半径を大きくして、折り返し用溝部２９において熱媒用配管８を簡単に曲げることができる。
【００５０】
なお、本実施形態では、第一床暖房パネル３、第二床暖房パネル４、及び第三床暖房パネル５の３種類の床暖房パネル１を例示したが、床暖房パネル１にはこの他にも幅や、収納溝の形状、小根太７の本数や位置を適宜変更したものがある。一例を挙げると、第二床暖房パネル４と同様に熱媒用配管８が隣接する他の床暖房パネル１に設けられた熱媒用配管８と接続されることで熱媒が循環され、且つ第三床暖房パネル５と同様に第二床暖房パネル４の２／３の幅を有する床暖房パネルがある。この床暖房パネルは例えば図４に示す第三床暖房パネル５に隣接して設けられ、その熱媒用配管８を第三床暖房パネル５に設けられた熱媒用配管８に接続することで熱媒が循環される。なお、前記例示した床暖房パネル１以外の床暖房パネルの収納溝も、床暖房パネル１と同様の第一直線状溝部２７や第二直線状溝部２８、第一ジョイント収納部３３、第二ジョイント収納部３４、及び折り返し用溝部２９等を有する。
【００５１】
また、本実施形態では、第一ジョイント収納部３３を折り返し用溝部２９と第一直線状溝部２７の接続部分に形成したが、第一直線状溝部２７において折り返し用溝部２９と接続されない部分に形成してもよい。また、第二ジョイント収納部３４を第二直線状溝部２８において折り返し用溝部２９と接続されない部分に形成したが、第二直線状溝部２８と折り返し用溝部２９の接続部分に形成してもよい。
【符号の説明】
【００５２】
１  床暖房パネル
２５  第一配管導入口
２６  第二配管導入口
２７  第一直線状溝部
２８  第二直線状溝部
２９  折り返し用溝部
３２  第一折り返し溝部
３３  第一ジョイント収納部
３４  第二ジョイント収納部
３５  第一ジョイント
３６  第二ジョイント
３７  第二折り返し溝部
３９  折り返し部
【図１】
0005828072.tif 000002
【図２】
0005828072.tif 000003
【図３】
0005828072.tif 000004
【図４】
0005828072.tif 000005
【図５】
0005828072.tif 000006
【図６】
0005828072.tif 000007
【図７】
0005828072.tif 000008
【図８】
0005828072.tif 000009